(57)【要約】【課題】メモリカードが故障であるか否かを示すためのインジケータライトを備えるメモリカードを提供する。【解決手段】インジケータライト付きメモリカードは、ケーシング、プロセッサ、入出力（Ｉ／Ｏ）インタフェース、メモリおよびインジケータライトモジュールを備える。インジケータライトモジュールは、ケーシングに搭載され、Ｉ／Ｏインタフェースに接続されており、またインダクタ、ＬＥＤおよび抵抗器を有する。インダクタは、Ｉ／Ｏインタフェースに接続されており、入力端および出力端を有する。ＬＥＤは、ケーシングに搭載されており、インダクタの出力端に接続されている。抵抗器は、ＬＥＤに直列に接続されている。ＬＥＤが消灯しているとき、電力がデジタル装置からＩ／Ｏインタフェースの適正なピンに供給されていない。その結果、発光ダイオードが消灯時に観察される如何なる故障も、デジタルの機器の故障に起因する。【選択図】図１Ａ
0003118612.tif 000002
【実用新案登録請求の範囲】
【請求項１】
インジケータライト付きメモリカードであって、
ケーシングと、
該ケーシング内に搭載され前記メモリカードの動作を制御するプロセッサと、
データを転送しまたデジタル機器から電力を受けるための複数の固有のピンを有し、前記ケーシングから露出して該ケーシングに搭載されまた前記プロセッサに接続される入出力（Ｉ／Ｏ）インタフェースと、
該Ｉ／Ｏインタフェースに接続されたコンデンサと、
前記ケーシングに搭載され、前記Ｉ／Ｏインタフェースおよび前記プロセッサに接続されたメモリと、
前記Ｉ／Ｏインタフェースを経てデジタル機器内の外部電源をモニタすべく、前記コンデンサに並列に前記ケーシングに搭載されたインジケータライトモジュールとを含み、
該インジケータライトモジュールは、
前記Ｉ／Ｏインタフェースの前記ピンに接続される入力端であってデジタル機器の電源に接続された入力端および出力端を有し、該Ｉ／Ｏインタフェースに接続されるインダクタと、
前記ケーシングに搭載され、前記メモリカードがデジタル機器に差し込まれているときに視認可能であり、前記インダクタの前記出力端に接続され、前記Ｉ／Ｏインタフェースの適正な前記ピンが前記デジタル機器からの電力を受けるべく適用されたとき発光する発光ダイオードと、
該発光ダイオードに直列に接続された抵抗器と、
該抵抗器および前記発光ダイオードに並列に接続されたコンデンサとを備える、インジケータライト付きメモリカード。
【請求項２】
前記Ｉ／Ｏインタフェースはセキュアデジタル（ＳＤ）インタフェースである、請求項１に記載のメモリカード。
【請求項３】
前記メモリはフラッシュメモリである、請求項１に記載のメモリカード。
【考案の詳細な説明】
【技術分野】
【０００１】
本考案は、メモリカードに関し、より詳細には、メモリカードが故障であるか否かを示すためのインジケータライトを備えるメモリカードに関する。
【背景技術】
【０００２】
デジタルカメラ、個人用携帯情報端末(ＰＤＡ)および携帯電話のようなデジタル機器が、広く使われている。各デジタル機器は、メモリカードを差し込むスロットを有し、このメモリカードはデータを格納する。
【０００３】
メモリカードは、異なるタイプのデジタル機器での使用のために、マルチメディア(ＭＭ)カード、セキュアデジタル(ＳＤ)カード、小型マルチメディア(ＲＳ-ＭＭ)カード等の種々のタイプに作られている。メモリカードのこれらのタイプは、異なるピン数、異なるピン配置、異なる形またはこれらの特徴のすべての組み合わせを持つであろう相互に異なる標準規格を有する。
【０００４】
ユーザーは、デジタルの機器またはメモリカードが故障であるかどうかを容易に確かめることができない。
メモリカードがデジタル機器のスロットに差し込まれており、またこのデジタル機器が正常に動作している場合でメモリカードが動作しないとき、ユーザーは、デジタル機器またはメモリカードのいずれが故障であるかを容易に確かめることができない。その原因を見つけ出すには、他のメモリカードをデジタル機器のスロットに差し込むか、メモリカードを他のデジタル機器のスロットに差し込む方法がある。それにより、ユーザは、故障がカードおよびデジタル機器のいずれにあるかを確かめることができる。しかしながら、ほとんどの人々は、故障源のチェックのために利用可能な他のメモリカードあるいはデジタル機器を持ってはいない。
【０００５】
前記した欠点を解消するために、本考案は、前記した問題を緩和あるいは除去すべくインジケータライト付きメモリカードを提供する。
【考案の開示】
【考案が解決しようとする課題】
【０００６】
本考案の主たる目的は、メモリカードが故障であるか否かを示すためのインジケータライトを備えるメモリカードを提供することにある。
【課題を解決するための手段】
【０００７】
本考案に係るインジケータライト付きメモリカードは、ケーシングと、プロセッサと、入出力(Ｉ／Ｏ)インタフェースと、メモリと、インジケータライトモジュールとを含む。前記プロセッサは、前記ケーシング内に搭載されている。前記Ｉ／Ｏインタフェースは、前記ケーシングから露出して該ケーシングに搭載されており、プロセッサに接続されている。前記メモリは、前記ケーシングに搭載されており、前記Ｉ／Ｏインタフェースおよび前記プロセッサに接続されている。前記インジケータライトモジュールは、前記ケーシングに搭載されており、また前記Ｉ／Ｏインタフェースに接続されており、インダクタと、発光ダイオードと、抵抗器とを備える。前記インダクタは、前記Ｉ／Ｏインタフェースに接続されており、フェライトビード上に形成することができ、入力端および出力端を有する。前記発光ダイオードは、前記ケーシングに搭載されており、前記インダクタの前記出力端に接続されている。前記抵抗器は、前記発光ダイオードに直列に接続されている。
【０００８】
本考案の他の目的、利点および新規な特徴は、添付の図面に関する以下の詳細な説明から、より明らかになろう。
【考案を実施するための最良の形態】
【０００９】
図１Ａ、１Ｂ、１Ｃ、１Ｄおよび２を参照するに、本考案に係るインジケータライト付きメモリカードは、デジタル機器（図示せず）に取り外し可能に装着され、ケーシング（１０）、プロセッサ（１２）、入出力（Ｉ／Ｏ）インタフェース（１１）、任意のコンデンサ（Ｃ５）、メモリおよびインジケータライトモジュール（１５）を含む。
【００１０】
プロセッサ（１２）は、ケーシング（１２）に搭載され、前記メモリカードの動作を制御する。
【００１１】
Ｉ／Ｏインタフェース（１１）は、ケーシング（１１）から露出して該ケーシングに搭載され、プロセッサ（１２）に接続されており、選択式にデータ(図示せず)を転送しまた電力を得るために、デジタル機器に接続され、セキュアデジタル（ＳＤ）、マルチメディア（ＭＭ）または小型マルチメディア（ＲＳ-ＭＭ）のインタフェースであり、デジタル機器中の電源に接続するための特有のピン(参照番号は付与されておらず)を有する。
【００１２】
コンデンサ（Ｃ５）は、Ｉ／Ｏインタフェース（１１）に接続されており、電力の如何なる非直流成分をも接地する。
【００１３】
前記メモリは、ケーシング（１１）に搭載されており、Ｉ／Ｏインタフェース（１１）およびプロセッサ（１２）に接続されており、フラッシュメモリとすることができる。前記フラッシュメモリは、1つ以上のフラッシュメモリチップ（１３、１４）で実現することができる。
【００１４】
インジケータライトモジュール（１５）は、コンデンサ（Ｃ５）に並列となるように、ケーシング（１０）に搭載され、Ｉ／Ｏインタフェース（１１）に接続されており、該Ｉ／Ｏインタフェースを経てディジタル機器の外部電源をモニタし、インダクタ（Ｌ１０）と、発光ダイオード（ＬＥＤ）（１５１）と、抵抗器（Ｒ）と、任意のコンデンサ（Ｃ）とを備える。
【００１５】
インダクタ（Ｌ１０）は、Ｉ／Ｏインタフェース（１１）に接続されており、フェライトビード（FBead）の周りに形成することができ、入力端(参照番号を付与せず)および出力端(参照番号を付与せず)を有する。前記入力端は、Ｉ／Ｏインタフェース（１１）の前記ピンに接続されており、該ピンはデジタル機器の電源に接続される。
【００１６】
発光ダイオード（１５１）は、ケーシング（１０）に搭載されており、前記メモリカードがデジタル機器に差し込まれているときに見えており、インダクタ（Ｌ１０）の前記出力端に接続されており、Ｉ／Ｏインタフェース（１１）の適正な前記ピンがデジタル機器から電力を得ているときに、光を放つ。
【００１７】
抵抗器（Ｒ）は、発光ダイオード（１５１）に直列に接続されている。
【００１８】
コンデンサ（Ｃ）は、電力中の如何なる非直流成分をも接地するために抵抗器（Ｒ）および発光ダイオード（１５１）と並行に接続されている。
【００１９】
発光ダイオード（１５１）が消灯時に観察される如何なる故障もデジタル機器の故障に起因することができるので、人々は、前記デジタル機器または前記メモリカードが故障であるかどうかを容易に確かめることができる。
【００２０】
本考案の多数の特徴および利点が、本考案の構成の詳細および作用と共に前述されたが、その開示は実例を示すために過ぎない。添付の請求項で表現された広い一般的な意味によって示された完全な範囲で、本考案の原理内での細部における変更、特に、形、寸法および部分の配置について変更は可能である。
【図面の簡単な説明】
【００２１】
【図１Ａ】本考案に係るインジケータライト付きメモリカードのための入出力（Ｉ／Ｏ）インタフェースおよびライトインジケータモジュールの回路図である。
【図１Ｂ】本考案に係るインジケータライト付きメモリカードのためのプロセッサの回路図である。
【図１Ｃ】本考案に係るインジケータライト付きメモリカードのためのメモリチップの回路図である。
【図１Ｄ】本考案に係るインジケータライト付きメモリカードのための他のメモリチップの回路図である。
【図２】本発明に係るインジケータライト付きメモリカードの斜視図である。
【符号の説明】
【００２２】
１０  ケーシング
１１  入出力（Ｉ／Ｏ）インタフェース
１２  プロセッサ
１３、１４  メモリ
１５  インジケータライトモジュール
１５１  発光ダイオード（ＬＥＤ）
Ｃ、Ｃ５  コンデンサ
Ｌ１０  インダクタ
Ｒ  抵抗器
【図１Ａ】
0003118612.tif 000003
【図１Ｂ】
0003118612.tif 000004
【図１Ｃ】
0003118612.tif 000005
【図１Ｄ】
0003118612.tif 000006
【図２】
0003118612.tif 000007